(57)【要約】【課題】印刷テープへの印刷終了を簡易な構成により認識させることが可能なテープ印刷装置を提供することを目的とする。【解決手段】テープ印刷装置１は、印刷テープＴに文字情報を印刷するテープ印刷装置１であって、印刷テープＴへの印刷が終了したか否かを判断する印刷終了判断部を有し、印刷終了判断部で印刷が終了したと判断すると、報音を指示する第１信号を出力する制御部１００と、制御部１００から出力された第１信号を入力し、報音させるための第１駆動信号を出力する報音駆動部としての圧電ブザードライバ１１６と、圧電ブザードライバ１１６から出力された第１駆動信号により報音する報音部１０３を構成する圧電ブザー６０と、を有する。【選択図】図３
2008179070.tif 000002
【特許請求の範囲】
【請求項１】
印刷テープに文字情報を印刷するテープ印刷装置であって、
前記印刷テープへの印刷が終了したか否かを判断する印刷終了判断部を有し、当該印刷終了判断部で印刷が終了したと判断すると、報音を指示する第１信号を出力する制御部と、
前記制御部から出力された前記第１信号を入力し、前記報音させるための第１駆動信号を出力する報音駆動部と、
前記報音駆動部から出力された前記第１駆動信号により報音する報音部と、を有することを特徴とするテープ印刷装置。
【請求項２】
請求項１に記載のテープ印刷装置であって、
前記制御部は、計時するタイマと、入力信号を検出したか否かを判断する入力信号判断部とを有し、
前記制御部は、前記報音部での報音が終了した後、前記タイマを起動させ、所定の時間内に前記入力信号判断部が入力信号を検出しないと判断すると、報音を指示する第２信号を前記報音駆動部に出力し、
前記報音駆動部は、入力した前記第２信号により前記報音部に報音させるための第２駆動信号を出力し、
前記報音部は、前記報音駆動部から出力された前記第２駆動信号により報音することを特徴とするテープ印刷装置。
【発明の詳細な説明】
【技術分野】
【０００１】
本発明は、テープ印刷装置に関するものである。
【背景技術】
【０００２】
従来、テープ印刷装置は、テープ印刷装置の本体（装置本体）に、印刷テープを巻回して収容したテープカートリッジを装着し、装着したテープカートリッジから印刷テープを繰り出し、繰り出した印刷テープに印刷を行なうようになっている。そして、本体に有するカッターにより、印刷された印刷テープを切断してテープ片を得ている。
【０００３】
なお、上述したテープ印刷装置として、特許文献１が開示されている。
【０００４】
【特許文献１】特開２００２−１３７４７５号公報
【発明の開示】
【発明が解決しようとする課題】
【０００５】
しかし、上述したテープ印刷装置において、ユーザは、印刷テープへの印刷が終了したか否かを認識する場合は、目視に頼っている。従って、目視では認識しづらい障害者や高齢者がユーザである場合には、印刷テープへの印刷が終了したか否かを認識することは、大変難しいことであった。
【０００６】
本発明は、上述した課題に鑑みてなされたものであり、印刷テープへの印刷終了を簡易な構成により認識させることが可能なテープ印刷装置を提供することを目的とする。
【課題を解決するための手段】
【０００７】
上述した目的を達成するために、本発明のテープ印刷装置は、印刷テープに文字情報を印刷するテープ印刷装置であって、印刷テープへの印刷が終了したか否かを判断する印刷終了判断部を有し、印刷終了判断部で印刷が終了したと判断すると、報音を指示する第１信号を出力する制御部と、制御部から出力された第１信号を入力し、報音させるための第１駆動信号を出力する報音駆動部と、報音駆動部から出力された第１駆動信号により報音する報音部と、を有することを特徴とする。
【０００８】
このようなテープ印刷装置によれば、テープ印刷装置は、制御部、報音駆動部および報音部を有し、また、制御部は印刷終了判断部を有している。このような簡易な構成により、印刷テープへの印刷が終了した場合、報音部により報音することで、ユーザに、印刷テープへの印刷終了を音により認識させることができる。特に、ユーザが、目視では認識しづらい障害者や高齢者である場合には、音により認識させることができる効果は大きい。
【０００９】
また、テープ印刷装置の有する制御部は、計時するタイマと、入力信号を検出したか否かを判断する入力信号判断部とを有し、制御部は、報音部での報音が終了した後、タイマを起動させ、所定の時間内に入力信号判断部が入力信号を検出しないと判断すると、報音を指示する第２信号を報音駆動部に出力し、報音駆動部は、入力した第２信号により報音部に報音させるための第２駆動信号を出力し、報音部は、報音駆動部から出力された第２駆動信号により報音することが好ましい。
【００１０】
このようなテープ印刷装置によれば、制御部は、タイマと入力信号判断部とを有している。このような簡易な構成により、印刷テープへの印刷が終了した場合、ユーザに、報音部により報音することで、印刷テープへの印刷終了を認識させても、ユーザが所定の時間内に次の操作入力を行なわなかった場合には、再度、報音により知らせることができる。それにより、更に、印刷テープへの印刷終了を音により認識させることができる。また、例えば、印刷されてカットされたテープ片の処理忘れや、電源の切り忘れなど、印刷した後の処理に対し、ユーザに気付かせ、次の入力操作を促すことができる。
【発明を実施するための最良の形態】
【００１１】
以下、本発明の実施形態を図面に基づいて説明する。
（第１実施形態）
【００１２】
図１は、本発明の第１実施形態に係るテープ印刷装置の斜視図である。また、図２は、開蓋状態のテープ印刷装置の斜視図である。図１、図２を参照して、テープ印刷装置１を説明する。
【００１３】
図１、図２に示すように、テープ印刷装置１は、印刷テープＴに対して、文字印刷を行なう装置本体２と、印刷テープＴおよびインクリボンＲを収容し、装置本体２に着脱自在に装着されるテープカートリッジＣとを備えている。
【００１４】
装置本体２は、装置ケース３により筐体が形成されている。また、装置ケース３は、上ケース３ａと下ケース３ｂとを有して構成されている。装置ケース３の前半部上面には、操作部１０１を構成するキーボード４が配設されている。装置ケース３の後半部上面の左部には、テープカートリッジＣを着脱自在に装着することができるカートリッジ装着部２０が、カートリッジケース３３の外形に略相似形状で窪んで形成されている。
【００１５】
カートリッジ装着部２０には、これを開閉する開閉蓋８が設けられ、開閉蓋８の表側にはキーボード４からの入力結果などを表示する長方形のディスプレイ９が形成されていると共に、開閉蓋８を閉止した状態でテープカートリッジＣの装着／非装着を視認するための覗き窓１０が形成されている。
【００１６】
装置ケース３（上ケース３ａ）の後半部上面の右部に相対する内面には、本発明の特徴となる後述する報音部１０３が配設されている。詳細には、報音部１０３は本実施形態では圧電ブザー６０を採用して構成されている。そして、圧電ブザー６０は、略円板形状を有し、上ケース３ａの内面に、ネジ（図示省略）により固定されている。その圧電ブザー６０から報音される音を、装置本体２外部に報音するための報音孔５が、圧電ブザー６０の上方となる部位に、上ケース３ａを貫通して複数形成されている。
【００１７】
装置ケース３の左側面部には、カートリッジ装着部２０と外部を連通するテープ排出口１１が形成され、このテープ排出口１１に臨んで装置ケース３には、テープカートリッジＣから繰り出された印刷テープＴを切断するためのカッタユニット５０が内蔵されている。そして、カッタユニット５０により印刷テープＴの印刷が済んだ部分（印刷済み部分）が切断されることで、テープ排出口１１から印刷後の印刷テープＴのテープ片Ｔ１が排出される。
【００１８】
一方、装置ケース３の右側面部には、電源供給のための電源供給口１２と図外のパーソナルコンピュータなどの外部装置と接続するための接続口１３が形成されている。また、両図では省略したが、装置ケース３の内部には、テープ印刷装置１を統括制御する制御部１００（図３参照）を構成する回路基板が搭載されている。
【００１９】
カートリッジ装着部２０には、発熱素子を有しヘッドカバー２４に覆われた印刷ヘッド２２と、テープカートリッジＣの印刷テープＴおよびインクリボンＲを送るためのプラテン駆動軸（図示省略）および巻取り駆動軸（図示省略）が突設されている。また、カートリッジ装着部２０の裏側（内部）には、プラテン駆動軸および巻取り駆動軸を駆動する印刷送りモータ２５（図３参照）やギヤ列（図示省略）などが内蔵されている。
【００２０】
テープカートリッジＣを上記のカートリッジ装着部２０に装着すると、テープカートリッジＣの貫通開口３４に印刷ヘッド２２を覆うヘッドカバー２４が差し込まれると共に、プラテンローラ３５およびリボン巻取りリール３２にプラテン駆動軸および巻取り駆動軸がそれぞれ係合する。この状態で、開閉蓋８を閉塞すると、これに連動して、印刷ヘッド２２が印刷テープＴおよびインクリボンＲを挟み込んでプラテンローラ３５に当接し、印刷待機状態となる。
【００２１】
そして、プラテンローラ３５およびリボン巻取りリール３２を駆動して印刷テープＴおよびインクリボンＲを送りながら、上記のキーボード４などから入力された文字情報などの入力データに基づいて、印刷ヘッド２２により印刷が行なわれる。印刷後、印刷テープＴのみがテープカートリッジＣのテープ送出口３６を介してテープ排出口１１から装置本体２外部に排出され、インクリボンＲはリボン巻取りリール３２に巻き取られるようになっている。なお、カートリッジ装着部２０の隅部には、複数のマイクロスイッチで構成され、印刷テープＴの種別を識別するためのテープ識別センサ１１０（図３参照）が設けられている。
【００２２】
印刷テープＴは、裏面に粘着材層が設けられた樹脂製の記録テープＳｒと、この粘着剤層により貼付された樹脂製の剥離テープＳｐとから構成されている。印刷テープＴは、記録テープＳｒを外側にし、かつ剥離テープＳｐを内側にしてロール状に巻回されてカートリッジケース３３内に収容されている。テープカートリッジＣに収容されている印刷テープＴのテープ幅は１２ｍｍ，２４ｍｍなど複数種類あり、カートリッジケース３３の裏面には、小さな複数の被検出孔（図示省略）が形成されており、上記のテープ識別センサ１１０によってこの複数の被検出孔が識別され、印刷テープＴの種別を識別するようになっている。
【００２３】
プラテンローラ３５により、送り出された印刷済みの印刷テープＴは、印刷済み部分を切断するカッタユニット５０に送られる。カッタユニット５０は、カートリッジ装着部２０とテープ排出口１１との間に配設されている。そして、カッタユニット５０は、印刷テープＴの記録テープＳｒおよび剥離テープＳｐの両方をハサミ形式で切断するフルカット機構（図示省略）を備えている。また、カッタユニット５０は、フルカット機構に対してテープ送り方向下流側に配設され、印刷テープＴの記録テープＳｒのみを切断するハーフカット機構（図示省略）を備えている。また、カッタユニット５０は、ハーフカット機構に対してテープ送り方向下流側に配設され、切断されたテープ片Ｔ１を強制的に排出する排出機構（図示省略）を備えている。すなわち、カッタユニット５０により、用途に応じてフルカット機構もしくはハーフカット機構がそれぞれ切断動作をし、印刷テープＴが切断される。そして、切断されたテープ片Ｔ１は、排出機構により装置本体２外部に排出される。
【００２４】
図３は、テープ印刷装置の制御系のブロック図である。図３を参照して、テープ印刷装置１の制御系の構成について説明する。
テープ印刷装置１は、操作部１０１により構成されている。そして、操作部１０１は、キーボード４およびディスプレイ９を有して構成されている。操作部１０１は、ユーザによる文字情報の入力や各種情報の表示などのユーザーインタフェースを司っている。また、テープ印刷装置１は、文字印刷部１０２により構成されている。そして、文字印刷部１０２は、テープカートリッジＣ、印刷ヘッド２２および印刷送りモータ２５を有して構成されている。文字印刷部１０２は、印刷テープＴおよびインクリボンＲを送りながら、入力された文字情報に基づく文字データを印刷テープＴ上に印刷する。
【００２５】
また、テープ印刷装置１は、カッタユニット５０により構成されている。カッタユニット５０は、フルカット機構を構成するフルカッター５２、ハーフカット機構を構成するハーフカッター５４、および、これらをそれぞれ駆動するフルカッタモータ５１およびハーフカッタモータ５３を有している。そして、印刷済みの印刷テープＴにフルカットおよびハーフカットを行なう。また、テープ印刷装置１は、検出部１０４により構成されている。検出部１０４は、テープ識別センサ１１０などの各種センサを有し、各種検出を行なう。
【００２６】
また、テープ印刷装置１は、報音部１０３を有して構成されている。報音部１０３は、本実施形態では圧電ブザー６０を有し、印刷テープＴへの印刷終了時に報音する。
【００２７】
更に、テープ印刷装置１は、各部を駆動する駆動部１０５と、各部と接続されてテープ印刷装置１全体を制御する制御部１００とにより構成されている。なお、駆動部１０５は、ディスプレイドライバ１１２、ヘッドドライバ１１３、印刷送りモータドライバ１１４、カッタモータドライバ１１５および報音駆動部としての圧電ブザードライバ１１６を有して構成されている。
【００２８】
制御部１００は、ＣＰＵ１２０、ＲＯＭ１２１、ＲＡＭ１２２および入力制御装置（ＩＯＣ：Input Output Controller）１２３を備え、互いに内部バス１２４により接続されている。そして、ＣＰＵ１２０は、ＲＯＭ１２１内の制御プログラムにしたがって、ＩＯＣ１２３を介してテープ印刷装置１内の各部から各種信号・データを入力する。また、制御部１００は、入力した各種信号・データに基づいて、ＲＡＭ１２２内の各種データを処理し、ＩＯＣ１２３を介してテープ印刷装置１内の各部に各種信号データを出力し、これにより文字印刷や報音の制御などを行なう。
【００２９】
制御部１００の制御により、印刷テープＴに対し文字印刷を行ない、切断してテープ片Ｔ１を得ることができる。なお、処理後のテープ片Ｔ１は、文字ラベルとして、貼着対象物に貼着される。また、印刷テープＴに対し文字印刷を行なったのち、文字印刷が終了したことを、圧電ブザー６０を介して報音することができる。
【００３０】
図４は、報音部において報音を行なう場合のフローチャートである。図４を参照して、報音部１０３が報音するまでの動作を説明する。
【００３１】
上述したように、制御部１００においては、ＣＰＵ１２０が、ＲＯＭ１２１、ＲＡＭ１２２およびＩＯＣ１２３により、信号を入力し、入力した信号に基づいて信号データを出力する動作を行なっている。以降の説明では、制御部１００内部での詳細な処理内容は省略して説明を行なう。
【００３２】
最初に、ステップＳ１００では、制御部１００は、印刷終了判断部として動作し、文字印刷部１０２が動作して印刷テープＴへの印刷が終了したか否かを判断する。なお、印刷終了判断部は、制御部１００が印刷終了を判断するためのプログラムを実行することにより構築される。そして、印刷終了判断部において、印刷が終了したと判断した場合には、次に、ステップＳ１０１に移行する。
【００３３】
ステップＳ１０１では、制御部１００は、駆動部１０５を構成する圧電ブザードライバ１１６へ、報音を指示する信号（第１信号）を出力する。次に、ステップＳ１０２に移行する。
【００３４】
ステップＳ１０２では、圧電ブザードライバ１１６は、制御部１００から出力された信号（第１信号）を入力し、圧電ブザー６０を報音させるための駆動信号（第１駆動信号）を出力する。次に、ステップＳ１０３へ移行する。
【００３５】
ステップＳ１０３では、圧電ブザー６０は、圧電ブザードライバ１１６から出力された駆動信号（第１駆動信号）により報音する。なお、ステップＳ１００において、印刷終了判断部が、印刷が終了していないと判断した場合には、印刷が終了するまでステップＳ１００を繰り返す。
【００３６】
以上のステップを実行することにより、文字印刷部１０２が動作して印刷テープＴへの印刷が終了した場合に、圧電ブザー６０を介して報音することができる。
【００３７】
上述した、実施形態によれば以下の効果が得られる。
（１）本実施形態のテープ印刷装置１によれば、テープ印刷装置１は、制御部１００と、報音駆動部としての圧電ブザードライバ１１６と、報音部１０３を構成する圧電ブザー６０とを有し、また、制御部１００は印刷終了判断部を有している。そして、印刷終了判断部が、印刷テープＴへの印刷が終了したと判断すると、制御部１００は、報音を指示する信号（第１信号）を圧電ブザードライバ１１６に出力する。そして、圧電ブザードライバ１１６は、制御部１００から出力された信号（第１信号）を入力し、報音させるための駆動信号（第１駆動信号）を圧電ブザー６０に出力する。そして、圧電ブザー６０は、圧電ブザードライバ１１６から入力した駆動信号（第１駆動信号）により報音する。
このような簡易な構成により、印刷テープＴへの印刷が終了した場合、圧電ブザー６０により報音することで、ユーザに、印刷テープＴへの印刷終了を目視によって認識することに加え、音により認識させることができる。
特に、ユーザが、目視では認識しづらい障害者や高齢者である場合には、音で知らせることにより、目視（視覚）に加えて、聴覚により認識させることができる効果は大きい。
【００３８】
（２）本実施形態のテープ印刷装置１によれば、印刷テープＴへの印刷の終了を音により知らせてくれるため、印刷終了までの時間に対する制約がなくなる。特に、印刷に要する時間が長くかかりそうな場合などには、印刷終了までの時間を有効に使用することができる。よって、テープ印刷装置１の利便性が向上する。
（第２実施形態）
【００３９】
図５は、本発明の第２実施形態に係るテープ印刷装置の制御系のブロック図である。
第１実施形態と比較して、異なる箇所は、本実施形態では、制御部１００にタイマ１２６を有していることであり、それ以外は、第１実施形態と同様の構成となっている。なお、同様の構成には同様の符号を付記している。
【００４０】
本実施形態でのタイマ１２６は、文字印刷終了後に圧電ブザー６０が報音し、その報音が終了した後、駆動を開始して経過時間を計測する。
【００４１】
図６は、報音部において報音を行なう場合のフローチャートである。図６を参照して、報音部１０３が報音するまでの動作を説明する。
【００４２】
最初に、ステップＳ２００では、前段で、文字印刷部１０２により、印刷テープＴへの文字印刷が終了し、圧電ブザー６０により、印刷終了を知らせる報音を行なった後、制御部１００は、タイマ１２６の計時を開始する。なお、タイマ１２６は、本実施形態では所定の時間として１０分間の時間を計時する。次に、ステップＳ２０１に移行する。
【００４３】
ステップＳ２０１では、制御部１００は、入力信号判断部として動作し、タイマ計時開始以降で、入力信号（操作入力信号）を検出したか否かを判断する。なお、入力信号判断部は、制御部１００が入力信号の検出の有無を判断するためのプログラムを実行することにより構築される。ここで、入力信号判断部が入力信号を検出したと判断すると、ステップＳ２０６に移行する。ステップＳ２０６では、制御部１００は、入力された信号に対応した動作を行なわせるように、対応する各部に信号を出力する。
【００４４】
また、ステップＳ２０１で、入力信号判断部が入力信号を検出しないと判断すると、ステップＳ２０２に移行する。ステップＳ２０２では、制御部１００は、タイマ１２６の計時時間が１０分を経過したか否かを判断する。そして、１０分を経過しないと判断すると、ステップＳ２０１に戻る。ステップＳ２０２で、制御部１００が、タイマ１２６の計時時間が１０分を経過したと判断した場合、次に、ステップＳ２０３に移行する。
【００４５】
ステップＳ２０３では、制御部１００は、駆動部１０５を構成する圧電ブザードライバ１１６へ、報音を指示する信号（第２信号）を出力する。次に、ステップＳ２０４に移行する。
【００４６】
ステップＳ２０４では、圧電ブザードライバ１１６は、制御部１００から出力された信号（第２信号）を入力し、圧電ブザー６０を報音させるための駆動信号（第２駆動信号）を出力する。次に、ステップＳ２０５へ移行する。
【００４７】
ステップＳ２０５では、圧電ブザー６０は、圧電ブザードライバ１１６から出力された駆動信号（第２駆動信号）により報音する。
【００４８】
以上のステップを実行することにより、文字印刷部１０２が動作して印刷テープＴへの印刷が終了し、圧電ブザー６０からの報音が終了した場合にも、その後の入力が所定の期間（本実施形態では１０分間）行なわれない場合には、再度、圧電ブザー６０は報音することができる。
【００４９】
上述した、実施形態によれば以下の効果が得られる。
（１）本実施形態のテープ印刷装置１によれば、制御部１００は、タイマ１２６と、入力信号判断部とを有している。そして、制御部１００は、圧電ブザー６０での報音が終了した後、タイマ１２６を起動させる。そして、所定の時間内（本実施形態では１０分間）に入力信号判断部が入力信号を検出しないと判断すると、報音を指示する信号（第２信号）を圧電ブザードライバ１１６に出力する。そして、圧電ブザードライバ１１６は、制御部１００から出力された信号（第２信号）を入力し、報音させるための駆動信号（第２駆動信号）を圧電ブザー６０に出力する。そして、圧電ブザー６０は、圧電ブザードライバ１１６から入力した駆動信号（第２駆動信号）により報音する。
このような簡易な構成により、印刷テープＴへの印刷が終了した場合、圧電ブザー６０により報音することで、ユーザに印刷テープＴへの印刷終了を認識させても、ユーザが所定の時間内に次の操作入力を行なわなかった場合には、再度、圧電ブザー６０により報音することで知らせることができる。
これにより、例えば、印刷されてカットされたテープ片Ｔ１の処理忘れや、電源の切り忘れなど、印刷テープＴに印刷した後の処理を行なうことを忘れたことに対して、ユーザに気付かせて、次の入力操作を促すことができる。
【００５０】
（２）本実施形態のテープ印刷装置１によれば、印刷テープＴへの印刷の終了を音により知らせ、更に、所定の時間経過後に再度音により知らせてくれる。それにより、印刷終了までの時間に対する制約がなくなると同時に、それ以降も所定の時間までは、時間を有効に使用することができる。よって、テープ印刷装置１の利便性が更に向上する。
【００５１】
なお、本発明は、上述した実施形態に限定されず、種々の変更や改良などを加えることが可能である。変形例を以下に述べる。
【００５２】
（変形例１）前記実施形態において、圧電ブザー６０を採用して報音部１０３を構成しているが、これに限らず、スピーカなど報音する部材であれば採用することができる。
【００５３】
（変形例２）前記実施形態において、圧電ブザードライバ１１６からは、特定周波数の駆動波形となる信号を出力している。しかし、これに限らず、メロディＩＣや音声ＩＣなどを有して、メロディや音声などを報音しても良い。
【００５４】
（変形例３）前記実施形態において、圧電ブザードライバ１１６からは、特定周波数の駆動波形となる信号を出力し、波高値は一定（報音される音の大きさは一定）としている。しかし、これに限らず、駆動波形のデューティー比や波高値などは、適宜変更することができる。
【００５５】
（変形例４）前記第２実施形態において、タイマ１２６で計時する所定時間を１０分として設定しているが、これに限らず、所定時間は適宜設定することができる。
【００５６】
（変形例５）前記実施形態において、テープ印刷装置１は、カッタユニット５０を有し、フルカッタモータ５１やハーフカッタモータ５３を使用して、印刷された印刷テープＴに対して自動でカットすることができる。しかし、これに限らず、自動ではなく、手動により印刷テープをカットするカッタユニットを有していても良い。このようなテープ印刷装置に対して本発明を適用することにより、印刷の終了を確認してから確実に印刷テープをカットすることができるため、効果は更に大きいものとなる。
【００５７】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【００５８】
【図１】本発明の第１実施形態に係るテープ印刷装置の斜視図。
【図２】開蓋状態のテープ印刷装置の斜視図。
【図３】テープ印刷装置の制御系のブロック図。
【図４】報音部において報音を行なう場合のフローチャート。
【図５】本発明の第２実施形態に係るテープ印刷装置の制御系のブロック図。
【図６】報音部において報音を行なう場合のフローチャート。
【符号の説明】
【００５９】
１…テープ印刷装置、２…装置本体、３…装置ケース、３ａ…上ケース、５…報音孔、６０…圧電ブザー、１００…制御部、１０２…文字印刷部、１０３…報音部、１０５…駆動部、１１６…圧電ブザードライバ、１２６…タイマ、Ｃ…テープカートリッジ、Ｔ…印刷テープ、Ｔ１…テープ片。
【図１】
2008179070.tif 000003
【図２】
2008179070.tif 000004
【図３】
2008179070.tif 000005
【図４】
2008179070.tif 000006
【図５】
2008179070.tif 000007
【図６】
2008179070.tif 000008